(57)【要約】【課題】照明光などの外光の影響を受けることなく美観の向上を図る上で有利なディスプレイ装置を提供する。【解決手段】ディスプレイパネル１４は筐体１４の前面１４Ａに配置される。透明基板１６は筐体１４の前面１４Ａに取着されると共に、画面１４Ａを前方に臨ませる矩形状の第１開口２８が設けられている。第１開口２８は、互いに対向する上縁２８Ａおよび下縁２８Ｂと、互いに対向する左縁２８Ｃおよび右縁２８Ｄとの４つの縁を備え、それら４つの縁が交わる箇所は、凹部と凸部の繰り返しによりそれらの縁に対して斜めに交差する方向に延在しそれらの縁に接続される凹凸形状の縁３０が形成されている。枠部材１８は透明基板１６が筐体１２の前面１２Ａに臨む面と反対側に位置する面に取着されると共に、画面１４Ａを第１開口２８を介して前方に臨ませる第２開口３２が設けられている。【選択図】図２
2010002643.tif 000002
【特許請求の範囲】
【請求項１】
前面を有する筐体と、
画像が表示される画面を有し該画面を前方に臨ませた状態で前記前面に配置されるディスプレイパネルと、
光を透過する材料で形成され、前記筐体の前面に取着されると共に、前記画面を前方に臨ませる第１開口が設けられた矩形枠状の透明基板と、
光を透過しない不透明材料で形成され、前記透明基板が前記筐体の前面に臨む面と反対側に位置する面に取着されると共に、前記画面を前記第１開口を介して前方に臨ませる第２開口が設けられた枠部材とを備え、
前記第１開口は、互いに対向する上縁および下縁と、互いに対向する左縁および右縁との４つの縁を備え、かつ、それら縁が交わる箇所は、凹部と凸部の繰り返しによりそれらの縁に対して斜めに交差する方向に延在しそれらの縁に接続される凹凸形状の縁が形成されている、
ディスプレイ装置。
【請求項２】
前記上縁、下縁、左縁、右縁は直線状に延在し、
前記凹凸形状の縁は、それら上縁、下縁、左縁、右縁に対して４５度の角度をもって交差する方向に延在している、
請求項１記載のディスプレイ装置。
【請求項３】
前記上縁、下縁、左縁、右縁が交わる箇所に、凹凸形状の縁を底辺とした三角形状の壁部がそれぞれ形成されている、
請求項２記載のディスプレイ装置。
【請求項４】
前記第２開口は矩形状を呈し、
前記枠部材は、前記第２開口の上下に位置する上板および下板と、前記第２開口の左右に位置する左板および右板を有し、
前記第１開口は矩形状を呈し、
前記透明基板は、前記第１開口の上下に位置する上板および下板と、前記第１開口の左右に位置する左板および右板を有し、
前記ディスプレイパネルの前方から見た際に、前記透明基板の前記上板、下板、左板、右板の各外縁は、前記枠部材の前記上板、下板、左板、右板の各外縁の外側に突出している、
請求項１乃至３に何れか１項記載のディスプレイ装置。
【請求項５】
前記透明基板の左板および右板は、前記枠部材の左板および右板よりも左右外側に突出しており、
前記枠部材の左板および右板よりも左右外側に突出した前記透明基板の左板および右板の箇所に、前記枠部材の左板および右板よりも左右外側に離してスピーカーボックスが設けられている、
請求項４記載のディスプレイ装置。
【発明の詳細な説明】
【技術分野】
【０００１】
本発明はディスプレイ装置に関する。
【背景技術】
【０００２】
ディスプレイパネルの画面の周囲の４辺に透明部を設けると共に、透明部の周囲の４辺に不透明な材料、例えばアルミニウムなどの金属材料からなる外枠を設けたディスプレイ装置が提供されている（特許文献１参照）。
このディスプレイ装置は、あたかもディスプレイパネルの画面が周囲の外枠から浮き上がったかのように視認され、いわゆるフローティング表示を実現することができるものである。
【特許文献１】特開２００６−３０３２１
【発明の開示】
【発明が解決しようとする課題】
【０００３】
しかしながら、このような従来のディスプレイ装置において、デザイン性の向上を図るために外枠を省く構成とした場合、室内の照明光などの外光が上方から直接透明部の内部に進入することになる。
透明部に進入した外光の一部は、透明部の内部を進行し、透明部の内部に形成された開口を形成する平面や曲面によって反射されることで、左右の側部に位置する透明部に導かれ、やがて外方に出射される。
このようにして透明部から出射される光はディスプレイ装置の美観を損ねる不利がある。
本発明はこのような事情に鑑みなされたものであり、その目的は、照明光などの外光の影響を受けることなく美観の向上を図る上で有利なディスプレイ装置を提供することにある。
【課題を解決するための手段】
【０００４】
上述の目的を達成するため、本発明のディスプレイ装置は、前面を有する筐体と、画像が表示される画面を有し該画面を前方に臨ませた状態で前記前面に配置されるディスプレイパネルと、光を透過する材料で形成され、前記筐体の前面に取着されると共に、前記画面を前方に臨ませる第１開口が設けられた矩形枠状の透明基板と、光を透過しない不透明材料で形成され、前記透明基板が前記筐体の前面に臨む面と反対側に位置する面に取着されると共に、前記画面を前記第１開口を介して前方に臨ませる第２開口が設けられた枠部材とを備え、前記第１開口は、互いに対向する上縁および下縁と、互いに対向する左縁および右縁との４つの縁を備え、かつ、それら縁が交わる箇所は、凹部と凸部の繰り返しによりそれらの縁に対して斜めに交差する方向に延在しそれらの縁に接続される凹凸形状の縁が形成されている。
【発明の効果】
【０００５】
本発明によれば、照明光などの外光の影響を受けることなくディスプレイ装置の美観を確保する上で有利となる。
【発明を実施するための最良の形態】
【０００６】
次に、本発明の実施の形態について図面を参照して説明する。
図１は実施の形態によるディスプレイ装置１０の正面図、図２はディスプレイ装置１０の分解斜視図である。
図１、図２に示すように、ディスプレイ装置１０は、筐体１２と、ディスプレイパネル１４と、透明基板１６と、枠部材１８と、後板２０と、左右のスピーカーボックス２２などを含んで構成されている。
【０００７】
（筐体１２）
筐体１２は、図２に示すように、ディスプレイパネル１４を収容するものである。
筐体１２は、前後方向の厚さと、厚さよりも大きい寸法の上下方向の高さと、高さよりも大きい寸法の左右方向の幅を有し、扁平な薄い矩形枠状を呈している。
なお、本実施の形態では、筐体１２の左右はディスプレイパネル１４の画面１４０２の前方から見ていうものとする。
筐体１２は、前方に臨む前面１２Ａと、後方に臨む後面１２Ｂと、上方に臨む上面１２Ｃと、下方に臨む下面１２Ｄと、左右に臨む側面１２Ｅ、１２Ｆとを有している。
下面１２Ｄの中央から下方にスタンド２４（図１）が突設されている。
筐体１２は、上下左右の中央に高さよりも幅が大きな矩形状の開口からなる収容部２６を有し、この収容部２６にディスプレイパネル１４を収容する。
【０００８】
（ディスプレイパネル１４）
ディスプレイパネル１４は、図２に示すように、前後方向の厚さと、厚さよりも大きい寸法の上下方向の高さと、高さよりも大きい寸法の左右方向の幅を有し、扁平な薄い矩形板状を呈している。
ディスプレイパネル１４は、厚さ方向の一方の面が動画や静止画などの画像を表示する画面１４Ａとされ、他方の面が後面とされる。
ディスプレイパネル１４は、収容部２６に収容されることで、画面１４Ａを前方に臨ませた状態で筐体１４の前面１４Ａに配置される。
本実施の形態では、ディスプレイパネル１４として液晶ディスプレイパネルを用いているが、ディスプレイパネル１４としては、有機ＥＬディスプレイパネル、あるいは、プラズマディスプレイパネルなど従来公知のさまざまな表示装置が採用可能である。
【０００９】
（透明基板１６）
透明基板１６は、光を透過する材料で、前後方向の厚さと、厚さよりも大きい寸法の上下方向の高さと、高さよりも大きい寸法の左右方向の幅を有する矩形枠状に形成されている。
透明基板１６を構成する光を透過する材料としては、透明なポリカーボネート樹脂やアクリル樹脂など従来公知のさまざまな材料が採用可能であり、透明基板１６は、例えば、それらポリカーボネート樹脂やアクリル樹脂を金型で成形することにより形成されている。
透明基板１６は、図２に示すように、筐体１４の前面１４Ａに取着されると共に、画面１４Ａを前方に臨ませる矩形状の第１開口２８が設けられている。
透明基板１６は、第１開口２８の上下に位置する上板１６Ａおよび下板１６Ｂと、第１開口２８の左右に位置する左板１６Ｃおよび右板１６Ｄを有している。
それら上板１６Ａ、下板１６Ｂ、左板１６Ｃ、右板１６Ｄが第１開口２８と反対側に臨む箇所によって外縁１６０２が形成されている。
本実施の形態では、外縁１６０２の表面は微細な凹凸が形成されたシボ面として形成され、室内の照明光などの外光の外縁１６０２から透明基板１６内への進入の防止が図られている。
【００１０】
第１開口２８は、互いに対向する上縁２８Ａおよび下縁２８Ｂと、互いに対向する左縁２８Ｃおよび右縁２８Ｄとの４つの縁を備えている。
それら縁２８Ａ、２８Ｂ、２８Ｃ、２８Ｄが交わる箇所は、すなわち、上縁２８Ａと左縁２８Ｃとが交わる箇所と、上縁２８Ａと右縁２８Ｄとが交わる箇所と、下縁２８Ｂと左縁２８Ｃとが交わる箇所と、下縁２８Ｂと右縁２８Ｄとが交わる箇所は、図３に示すように、凹部と凸部の繰り返しによりそれらの縁に対して斜めに交差する方向に延在しそれらの縁２８Ａ、２８Ｂ、２８Ｃ、２８Ｄに接続される凹凸形状の縁３０が形成されている。
本実施の形態では、前記凹凸形状は、透明基板１６の幅方向（上縁２８Ａ、下縁２８Ｂの延在方向）と平行に延在する第１の面と、透明基板１６の高さ方向（左縁２８Ｃ、右縁２８Ｄの延在方向）と平行に延在する第２の面とが交互に複数個接続された階段状を呈している。
すなわち、室内の照明光などの外光が透明基板１６の上板１６Ａの外縁１６０２から透明基板１６内に進入しても、該外光は、凹凸形状の縁３０によって、本実施の形態では、前記複数の第１の面および第２の面によって、左板１６Ｃ、右板１６Ｄの外縁１６０２に向かう方向以外に反射されるように構成されている。
また、本実施の形態では、上縁２８Ａ、下縁２８Ｂ、左縁２８Ｃ、右縁２８Ｄは直線状に延在し、凹凸形状の縁３０は、それら上縁２８Ａ、下縁２８Ｂ、左縁２８Ｃ、右縁２８Ｄに対して４５度の角度をもって交差する方向に延在している。
また、凹凸形状の縁３０が設けられることにより、縁２８Ａ、２８Ｂ、２８Ｃ、２８Ｄが交わる箇所に、図３に想像線Ｔで示すように、凹凸形状の縁３０を底辺とした三角形状の壁部４６がそれぞれ形成されることになる。
また、本実施の形態では、図３に示すように、壁部４６を利用して部品取り付け用のボス部４８などが設けられており、構成の簡素化、製造コストの削減化が図られている。
【００１１】
（取り付け部３６、表示部３８）
左板１６Ｃ、右板１６Ｄには、図２に示すように、２つの放音孔３４がそれぞれ上下方向に並べられて設けられている。
各放音孔３４は、上下方向に沿って直線状に延在する細長形状を呈し、後述するスピーカーボックス２２のスピーカーから発せられた音声を前方に導くものである。
２つの放音孔３４のうち下側の放音孔３４の下方に位置する左板１６Ｃ、右板１６Ｄの箇所には、スピーカーボックス２２を取り付けるための複数の取り付け部３６が設けられている。
図４は右板１６Ｄに設けられた取り付け部３６および表示部３８の部分を示す正面図、図５は図４のＡＡ線断面図、図６は図４のＢＢ線断面図である。
左板１６Ｃ、右板１６Ｄの取り付け部３６の構成は同様であるため、以下右板１６Ｄの取り付け部３６の構成について説明する。
図４乃至図６に示すように、各取り付け部３６は透明基板１６と同じ材料により透明基板１６と一体的に形成されている。
各取り付け部３６は、右板１６Ｄの後面から後方に屈曲された屈曲片３６０２と、屈曲片３６０２の先端から右板１６Ｄと平行して延出された取り付け片３６０４とを有している。
取り付け片３６０４には、ねじ挿通孔３６０６が貫通形成され、このねじ挿通孔３６０６を挿通したねじＮをスピーカーボックス２２のケース２２０２のねじ孔に螺合することで、スピーカーボックス２２が右板１６Ｄに取着される。
また、取り付け片３６０４のうち、屈曲片３６０２に接続される箇所と反対側の箇所は、右板１６Ｄに形成された欠部４０によって右板１６Ｄから切り離されている。
【００１２】
図４に示すように、右板１６Ｄの取り付け部３６の左側方には、欠部４０を介して表示部３８が設けられている。
表示部３８は、ディスプレイ装置１０の電源投入状態や各種モードの設定状態などを光の点灯、滅灯、あるいは、点滅などによって光学的に表示するものである。
図４は取り付け部３６および表示部３８の部分を示す正面図、図５は図４のＡＡ線断面図、図６は図４のＢＢ線断面図である。
図４乃至図６に示すように、表示部３８は、複数の発光素子３８０２と、導光路３８０４と、反射面３８０６とを備えている。
各発光素子３８０２は、透明基板２８の右縁２８Ｄの下方寄りの部分に近接した箇所に、右縁２８Ｄの延在方向に間隔をおいて並べられて配置され、図示しない取り付け部材を介して透明基板２８に取着されている。
各発光素子３８０２はＬＥＤで構成され、点灯した際に光を右縁２８Ｄに向けて照射するように構成されている。
導光路３８０４は、右板１６Ｄの部分で構成されている。
反射面３８０６は、右板１６Ｄの内部に構成され、導光路３８０４に沿って進行する光を反射して、右板１６Ｄの前方に導くものである。本実施の形態では、反射面３８０６は、右板１６Ｄの後面に開放状の凹部を設けることで形成されている。
反射面３８０６により反射された光は、右板１６Ｄの前面から前方に向けて出射され、したがって、この光がディスプレイ装置１０の前方から視認されることになる。
図１、図４において、符号３８１０は各発光素子３８０２が点灯した際に光が出射される表示領域を示す。
【００１３】
本実施の形態では、右板１６Ｄの取り付け部３６（取り付け片３６０４）と表示部３８との間は、欠部４０によって切り離されている。
したがって、図６に示すように、発光素子３８０２から出射された光のうち、反射部３８０６で反射される光を除く残りの光の右板１６Ｄ内における右方向への進行が欠部４０で阻止されるため、光が右板１６Ｄの外縁１６０２からディスプレイ装置１０の外方に出射されることがない。
さらに、本実施の形態では、欠部４０に臨む右板１６Ｄの縁部１６１０が光を遮蔽するシート状の遮光部材４２によって覆われている。
そのため、発光素子３８０２から出射され右板１６Ｄの内部を進行する光が縁部１６１０から漏れることも防止されている。
【００１４】
一方、図７に示すように、右板１６Ｄの取り付け部３６（取り付け片３６０４）と表示部３８との間が接続される構造の場合には、発光素子３８０２から出射された光のうち、反射部３８０６で反射される光を除く残りの光が右板１６Ｄ内を右方向に進行し、やがて、取り付け片３６０４、屈曲片３６０４を通って右板１６Ｄの外縁１６０２に至り、その外縁部から外方に出射されて、ディスプレイ装置１０の美観を損ねることが懸念される。
これに対して、本実施の形態では、上述したように欠部４０や遮光部材４２を設けることで、発光素子３８０２から出射される光の一部が透明基板２８の外縁から外方に漏れることが確実に防止されるため、ディスプレイ装置１０の美観を確保する上で有利となっている。
【００１５】
（枠部材１８）
枠部材１８は、光を透過しない不透明材料で、前後方向の厚さと、厚さよりも大きい寸法の上下方向の高さと、高さよりも大きい寸法の左右方向の幅を有する矩形枠状に形成されている。
枠部材１８を構成する光を透過しない不透明材料としては、従来公知のさまざまな合成樹脂材料が採用可能である。
枠部材１８は、透明基板１６が筐体１２の前面１２Ａに臨む面と反対側に位置する面に取着されると共に、画面１４Ａを第１開口２８を介して前方に臨ませる矩形状の第２開口３２が設けられている。
枠部材１８は、第２開口３２の上下に位置する上板１８Ａおよび下板１８Ｂと、第２開口３２の左右に位置する左板１８Ｃおよび右板１８Ｄを有している。
そして、図１に示すように、ディスプレイパネル１４の前方から見た際に、透明基板１６の上板１６Ａ、下板１６Ｂ、左板１６Ｃ、右板１６Ｄの各外縁１８０２は、枠部材１８の上板１８Ａ、下板１８Ｂ、左板１８Ｃ、右板１８Ｄの各外縁１８０２の外側に突出している。
すなわち、透明基板１６の左板１６Ｃおよび右板１６Ｄは、枠部材１８の左板１８Ｃおよび右板１８Ｄよりも左右外側に突出している。
【００１６】
（後板２０）
後板２０は矩形板状を呈し、筐体１２の後面１２Ｂに取着されることで、後面１２Ｂおよびディスプレイパネル１４の後面を覆うものである。
【００１７】
（スピーカーボックス２２）
左右のスピーカーボックス２２は、図２に示すように、ケース２２０２と、不図示の複数のスピーカーとを含んで構成されている。
ケース２２０２は、直線状に延在する細長形状を呈しており、その長手方向に前記複数のスピーカーが並べられて収容されている。
左右のスピーカーボックス２２は、ケース２２０２の長手方向を上下方向に向けると共に、前記スピーカーを透明基板１６の各放音孔３４に臨ませた状態で前述した取り付け部３６を介して透明基板１６の後面側から左板１６Ｃと右板１６Ｄに取り付けられる。
言い換えると、枠部材１８の左板１８Ｃおよび右板１８Ｄよりも左右外側に突出した透明基板１６の左板１６Ｃおよび右板１６Ｄの箇所に、枠部材１８の左板１８Ｃおよび右板１８Ｄよりも左右外側に離してスピーカーボックス２２が設けられている。
なお、図１、図２において、符号４４は、左右の放音孔３４を覆うように透明基板１６の前面に取着された網状のスピーカーグリルを示す。
【００１８】
本実施の形態によれば、室内の照明光などの外光が透明基板１６の上板１６Ａの外縁１６０２から透明基板１６内に進入しても、該外光は凹凸形状の縁３０によって左板１６Ｃ、右板１６Ｄの外縁１６０２に向かう方向以外に反射されるため、左板１６Ｃ、右板１６Ｄの外縁１６０２から外光が出射されることがなく、したがって、照明光などの外光の影響を受けることなくディスプレイ装置１０の美観を確保する上で有利となる。
【００１９】
また、本実施の形態では、凹凸形状の縁３０が設けられることにより、縁２８Ａ、２８Ｂ、２８Ｃ、２８Ｄが交わる箇所に、凹凸形状の縁３０を底辺とした三角形状の壁部４６がそれぞれ形成されるため、従来装置のように外枠が設けられていなくても、各壁部４６によって透明基板１６の機械的強度の向上を確保する上で有利となる。
したがって、透明基板１６の部分を把持してディスプレイ装置１０の移動や運搬を行うことが可能となる。
なお、縁２８Ａ、２８Ｂ、２８Ｃ、２８Ｄが交わる箇所に直線状に延在する縁を底辺とする三角形状の補強壁部をそれぞれ形成しても、それら補強壁部によって透明基板１６の機械的強度の向上を図ることは可能である。
しかしながら、その場合は、前記補強壁部の直線状に延在する前記縁によって、室内の照明光などの外光が透明基板１６の上板１６Ａの外縁１６０２から透明基板１６内に進入した場合、その外光が、前記補強壁部の直線状に延在する前記縁によって左板１６Ｃ、右板１６Ｄの外縁１６０２に向かう方向に反射され、左板１６Ｃ、右板１６Ｄの外縁１６０２から外光が出射されるため、ディスプレイ装置１０の美観を確保する上で不利となる。
また、縁２８Ａ、２８Ｂ、２８Ｃ、２８Ｄが交わる箇所に直線状に延在する縁を底辺とする三角形状の壁部４６を形成する代わりに、縁が交わる（直交する）箇所をＲ面（円筒面状の曲面）で接続した場合は、透明基板１６の機械的強度の向上を図ることができず、室内の照明光などの外光が透明基板１６の上板１６Ａの外縁１６０２から透明基板１６内に進入した場合、その外光が、Ｒ面によって左板１６Ｃ、右板１６Ｄの外縁１６０２に向かう方向に反射され、左板１６Ｃ、右板１６Ｄの外縁１６０２から外光が出射されるため、ディスプレイ装置１０の美観を確保する上で不利となる。
これに対して、本実施の形態では、ディスプレイ装置１０の美観を確保しつつ、透明基板１６の機械的強度の向上を図る上で極めて有利である。
【００２０】
また本実施の形態では、ディスプレイパネル１４の前方から見た際に、透明基板１６の上板１６Ａ、下板１６Ｂ、左板１６Ｃ、右板１６Ｄの各外縁１６０２は、枠部材１８の上板１８Ａ、下板１８Ｂ、左板１８Ｃ、右板１８Ｄの各外縁１８０２の外側に突出しているため、従来装置のように外枠が設けられている場合に比較して、ディスプレイパネル１４の画面１４０２がより浮き上がったかのように視認されることで画面１４０２の浮遊感を強調でき、ディスプレイ装置１０のデザイン性を確保する上でより有利となる。
【００２１】
また、本実施の形態では、枠部材１８の左板１８Ｃおよび右板１８Ｄよりも左右外側に突出した透明基板１６の左板１６Ｃおよび右板１６Ｄの箇所に、枠部材１８の左板１８Ｃおよび右板１８Ｄよりも左右外側に離してスピーカーボックス２２が設けられているため、ディスプレイパネル１４の前方から見た際に、スピーカーボックス２２が浮き上がったかのように視認されることでスピーカーボックス２２についても浮遊感を強調でき、ディスプレイ装置１０のデザイン性を確保する上でより一層有利となる。
【００２２】
なお、本発明のディスプレイ装置は、テレビジョン装置、デスクトップ型のパーソナルコンピュータのモニタ装置などディスプレイ装置を備える種々の電子機器に広く用いることができる。
【図面の簡単な説明】
【００２３】
【図１】実施の形態によるディスプレイ装置１０の正面図である。
【図２】ディスプレイ装置１０の分解斜視図である。
【図３】透明基板１６の凹凸形状の縁３０の説明図である。
【図４】右板１６Ｄに設けられた取り付け部３６および表示部３８の部分を示す正面図である。
【図５】図４のＡＡ線断面図である。
【図６】図４のＢＢ線断面図である。
【図７】取り付け部３６の比較例を示す断面図である。
【符号の説明】
【００２４】
１０……ディスプレイ装置、１２……筐体、１２Ａ……前面、１４……ディスプレイパネル、１４０２……画面、１６……透明基板、１８……枠部材、２８……第１開口、３２……第２開口、２８Ａ……上縁、２８Ｂ……下縁、２８Ｃ……左縁、２８Ｄ……右縁、３０……凹凸形状の縁。
【図１】
2010002643.tif 000003
【図２】
2010002643.tif 000004
【図３】
2010002643.tif 000005
【図４】
2010002643.tif 000006
【図５】
2010002643.tif 000007
【図６】
2010002643.tif 000008
【図７】
2010002643.tif 000009